(57)【要約】【課題】部品点数及び組み付け工数を削減することができ、低コスト化と省スペース化及び小型化を図ることができるワイパ装置を提供する。【解決手段】ワイパアーム２を揺動させるピボット軸５を有したピボットホルダ３と、このピボットホルダ３のピボットブラケット４が取り付けられるパイプフレーム６と、このパイプフレーム６にモータフレーム８を介して取り付けられると共に、ピボット軸５をリンク機構を介して揺動させるモータとを備えたワイパ装置１において、ピボットブラケット４とパイプフレーム６及びモータ７に一体形成されたモータフレーム８とをボルト９を介して締結固定した。【選択図】図２
2009208544.tif 000002
【特許請求の範囲】
【請求項１】
ワイパアームを揺動させるピボット軸を有したピボットホルダと、このピボットホルダのピボットブラケットが取り付けられるパイプフレームと、このパイプフレームにモータフレームを介して取り付けられると共に、前記ピボット軸をリンク機構を介して揺動させるモータとを備えたワイパ装置において、
前記ピボットブラケットと前記パイプフレーム及び前記モータに一体形成された前記モータフレームとを締結手段を介して締結固定したことを特徴とするワイパ装置。
【請求項２】
請求項１記載のワイパ装置であって、
前記ピボットブラケットと前記モータフレームとで前記パイプフレームを挟み込むと共に前記締結手段としてのボルトにより締結固定したことを特徴とするワイパ装置。
【請求項３】
ワイパアームを揺動させるピボット軸を有したピボットホルダと、このピボットホルダのピボットブラケットが取り付けられるパイプフレームと、このパイプフレームにモータブラケットを介して取り付けられると共に、前記ピボット軸をリンク機構を介して揺動させるモータとを備えたワイパ装置において、
前記ピボットブラケットと前記パイプフレーム及び前記モータに取り付けられた前記モータブラケットとを締結手段を介して締結固定したことを特徴とするワイパ装置。
【請求項４】
請求項３記載のワイパ装置であって、
前記ピボットブラケットと前記モータブラケットとで前記パイプフレームを挟み込むと共に前記締結手段としてのボルトにより締結固定したことを特徴とするワイパ装置。
【発明の詳細な説明】
【技術分野】
【０００１】
本発明は、車両のウィンドシールドガラス等を払拭するワイパ装置に関する。
【背景技術】
【０００２】
例えば、車両のウィンドシールドガラスを払拭するワイパピボット（ワイパ装置）が知られている（例えば、特許文献１参照。）。
【０００３】
この特許文献１に記載のワイパピボットは、ワイパアームを揺動させるピボット軸を有したピボットホルダと、このピボットホルダのピボットブラケットが取り付けられるパイプフレームと、このパイプフレームにモータブラケットを介して取り付けられると共に、ピボット軸をリンク機構を介して揺動させるモータとを備えている。
【０００４】
そして、このワイパピボットでは、パイプフレームにピボットブラケットを加締めにより固定してあると共に、該パイプフレームにモータに取り付けられたモータブラケットをボルト等により締結固定してある。
【０００５】
【特許文献１】特開２００６−１７６１２７号公報
【発明の開示】
【発明が解決しようとする課題】
【０００６】
しかしながら、前記従来のワイパピボットでは、パイプフレームにピボットブラケットとモータブラケットとをそれぞれ別々に固定してあるため、その分、部品点数及び組み付け工数が増えてコスト高になると共に、パイプフレームの長手方向に広い取付スペースが必要不可欠であった。
【０００７】
また、パイプフレームの長手方向に取付スペースが確保できない場合には、ピボットブラケットを大きく形成したものを使用して対応しなければならないため、装置全体が大型になった。
【０００８】
そこで、本発明は、前記した課題を解決すべくなされたものであり、部品点数及び組み付け工数を削減することができ、低コスト化と省スペース化及び小型化を図ることができるワイパ装置を提供することを目的とする。
【課題を解決するための手段】
【０００９】
請求項１の発明は、ワイパアームを揺動させるピボット軸を有したピボットホルダと、このピボットホルダのピボットブラケットが取り付けられるパイプフレームと、このパイプフレームにモータフレームを介して取り付けられると共に、前記ピボット軸をリンク機構を介して揺動させるモータとを備えたワイパ装置において、前記ピボットブラケットと前記パイプフレーム及び前記モータに一体形成された前記モータフレームとを締結手段を介して締結固定したことを特徴とする。
【００１０】
請求項２の発明は、請求項１記載のワイパ装置であって、前記ピボットブラケットと前記モータフレームとで前記パイプフレームを挟み込むと共に前記締結手段としてのボルトにより締結固定したことを特徴とする。
【００１１】
請求項３の発明は、ワイパアームを揺動させるピボット軸を有したピボットホルダと、このピボットホルダのピボットブラケットが取り付けられるパイプフレームと、このパイプフレームにモータブラケットを介して取り付けられると共に、前記ピボット軸をリンク機構を介して揺動させるモータとを備えたワイパ装置において、前記ピボットブラケットと前記パイプフレーム及び前記モータに取り付けられた前記モータブラケットとを締結手段を介して締結固定したことを特徴とする。
【００１２】
請求項４の発明は、請求項３記載のワイパ装置であって、前記ピボットブラケットと前記モータブラケットとで前記パイプフレームを挟み込むと共に前記締結手段としてのボルトにより締結固定したことを特徴とする。
【発明の効果】
【００１３】
以上説明したように、請求項１の発明によれば、ピボットブラケットとパイプフレーム及びモータに一体形成されたモータフレームとを締結手段を介して締結固定したことにより、部品点数及び組み付け工数を削減することができ、低コスト化と省スペース化及び小型化を図ることができる。
【００１４】
請求項２の発明によれば、ピボットブラケットとモータフレームとでパイプフレームを挟み込むと共に締結手段としてのボルトにより締結固定したことにより、パイプフレームにピボットブラケットとモータフレームを簡単かつ確実に固定することができると共に、省スペース化及び小型化をより一段と図ることができる。
【００１５】
請求項３の発明によれば、ピボットブラケットとパイプフレーム及びモータに取り付けられたモータブラケットとを締結手段を介して締結固定したことにより、部品点数及び組み付け工数を削減することができ、低コスト化と省スペース化及び小型化を図ることができる。
【００１６】
請求項４の発明によれば、ピボットブラケットとモータブラケットとでパイプフレームを挟み込むと共に締結手段としてのボルトにより締結固定したことにより、パイプフレームにピボットブラケットとモータブラケットを簡単かつ確実に固定することができると共に、省スペース化及び小型化をより一段と図ることができる。
【発明を実施するための最良の形態】
【００１７】
以下、本発明の一実施形態を図面に基づいて説明する。
【００１８】
図１は本発明の一実施形態のワイパ装置を示す斜視図、図２は同ワイパ装置の要部の断面図、図３は図２中Ｙ−Ｙ線に沿う断面図である。
【００１９】
図１に示すように、ワイパピボット（ワイパ装置）１は、ワイパアーム２を揺動させるピボット軸５を有したアルミニウム製のピボットホルダ３と、このピボットホルダ３に一体形成されたピボットブラケット４が取り付けられる金属製で円筒状のパイプフレーム６と、このパイプフレーム６に金属製のモータフレーム８を介して取り付けられると共に、ピボット軸５をリンク機構１０を介して揺動させるモータ７とを備えている。尚、パイプフレーム６の両端にピボットホルダ３が一対取り付けられているが、モータ７側の一方のピボットホルダ３のみを図示してある。
【００２０】
図１に示すように、モータ７は、図示しないアーマチュアを収納したヨーク７ａと、このヨーク７ａにネジ止めされ、出力軸７ｄを回転させる図示しない減速機構を収納したギヤケース７ｂと、このギヤケース７ｂを覆うギヤケースカバー７ｃとで構成されており、このギヤケース７ｂの一側部に略矩形板状のモータフレーム８を一体突出形成してある。図１〜図３に示すように、このモータフレーム８の先端側には半円弧状のパイプ保持部８ａを形成してある。このパイプ保持部８ａの両側にはボルト９が貫通する円形孔８ｂをそれぞれ形成してある。また、ギヤケース７ｂに金属製の板により形成されたモータブラケットを取り付け、このモータブラケットにフレーム８と同様に、円形孔を形成したパイプ保持部を形成して、パイプフレーム６にボルト９を介して固定しても良い。
【００２１】
また、図１〜図３に示すように、ピボットブラケット４の下側は半円弧状のパイプ保持部４ａに形成してある。このパイプ保持部４ａのモータフレーム８のパイプ保持部８ａの各円形孔８ｂに対向する位置には、ボルト９が螺合されるネジ孔４ｂをそれぞれ形成してある。さらに、パイプフレーム６の一方の端部６ａのピボットブラケット４のパイプ保持部４ａの各ネジ孔４ｂに対向する位置には、ボルト９が貫通する円形孔６ｂをそれぞれ形成してある。そして、ピボットブラケット４のパイプ保持部４ａとモータフレーム８のパイプ保持部８ａとでパイプフレーム６の一方の端部６ａを挟み込むと共に、ボルト（締結手段）９をモータフレーム８のパイプ保持部８ａの円形孔８ｂとパイプフレーム６の円形孔６ｂをそれぞれ貫通させてピボットブラケット４のパイプ保持部４ａのネジ孔４ｂに螺合できるようになっている。
【００２２】
図１に示すように、リンク機構１０は、ワイパアーム２を揺動させる各ピボットホルダ３のピボット軸５に一端部１１ａを固定した各ピボットアーム１１と、各ピボットアーム１１の他端部１１ｂにボールジョイント部（連結部）１２を介して両端１３ａがそれぞれ枢支されたリンクコンロッド１３と、モータ７の出力軸７ｄに一端部が固定され、該出力軸７ｄと一体に回転する図示しないクランクアームと、このクランクアームの他端部と他方のピボットアーム１１の他端部１１ｂに図示しないボールジョイント部（連結部）を介して両端がそれぞれ枢支されたリンクコンロッド１４とで構成されている。
【００２３】
以上実施形態のワイパピボット１によれば、ピボットホルダ３のピボットブラケット４とパイプフレーム６及びモータ７のモータフレーム８とをボルト９を介して共に締結固定したことにより、従来のものに比較して、部品点数及び組み付け工数を削減することができ、その分、低コスト化と省スペース化及び小型化を図ることができる。
【００２４】
即ち、図２に示すように、ピボットブラケット４の半円弧状のパイプ保持部４ａとモータフレーム８の半円弧状のパイプ保持部８ａとで円筒状のパイプフレーム６の端部６ａを挟み込み、かつ、一対のボルト９，９により共に締結固定したことにより、パイプフレーム６の端部６ａにピボットホルダ３のピボットブラケット４とモータ７のモータフレーム８とを簡単かつ確実に固定することができると共に、省スペース化及び小型化をより一段と図ることができる。
【００２５】
尚、前記実施形態によれば、ピボットブラケットとモータフレームとで円筒状のパイプフレームを挟み込むと共にボルトにより締結固定するようにしたが、円筒状のパイプフレームの端部内にピボットブラケット或いはモータフレームの一方を嵌め込んだ状態でボルトにより締結固定するようにしても良い。
【００２６】
さらに、前記実施形態によれば、締結手段としてボルトを用いたが、ボルトとナットやリベットやプッシュナット等の他の締結手段を用いても良いことは勿論である。
【図面の簡単な説明】
【００２７】
【図１】本発明の一実施形態のワイパ装置を示す斜視図である。
【図２】上記ワイパ装置の要部の断面図である。
【図３】図２中Ｙ−Ｙ線に沿う断面図である。
【符号の説明】
【００２８】
１  ワイパピボット（ワイパ装置）
２  ワイパアーム
３  ピボットホルダ
４  ピボットブラケット
５  ピボット軸
６  パイプフレーム
７  モータ
８  モータフレーム
９  ボルト（締結手段）
１０  リンク機構
【図１】
2009208544.tif 000003
【図２】
2009208544.tif 000004
【図３】
2009208544.tif 000005